(57)【要約】      （修正有）【課題】パッティングのバックストローク時にターゲットとボールヒット時を結ぶゲットライン上に正確にストレートなストローク運動が容易であると共に、特にヒッティング時にボールのバックスピンの発生を抑え、ボールに対するパターヘッドの重心位置調整選択により任意のスピン回転を容易に習得可能にしたパターヘッドを提供する。【解決手段】ゴルフパターヘッドのヒール端部１及びトウ端部２に繋がる側壁部３に部材嵌着孔を配置したパターヘッド本体Ａを設ける。Ｖ字状に折曲した頂部に慣性モーメント集中部５を形成する。先端に前記部材穿着孔に挿入固定する固着部を有する拡開角度に延生した慣性力増大ウエイト・フレームＢを設ける。当該、慣性力増大ウエイト・フレームＢの固着部を前記部材嵌着孔に挿入固着する。【選択図】図１
0003129437.tif 000002
【実用新案登録請求の範囲】
【請求項１】
ゴルフパターヘッドのヒール端部及びトウ端部に繋がる側壁部に部材嵌着孔を配置したパターヘッド本体と、Ｖ字状に折曲した頂部に慣性モーメント集中部を形成すると共に先端に前記部材穿着孔に挿入固定する固着部を有する拡開角度に延生した慣性力増大ウエイト・フレームを設け、当該、慣性力増大ウエイト・フレームの固着部を前記部在嵌着孔に挿入固着することを特徴とするゴルフパターヘッド。
【請求項２】
前記ゴルフパターヘッドのヒール端部及びトウ端部に繋がる側壁部に配置する部材穿着孔の位置は、ヒール・トウ・バランス設計に基づき設定され、慣性モーメントが増大する部位やパターヘッドのボールスピン、転がりを考慮した最適重量配分の重心位置等を選択できる部位に配設したことを特徴とする請求項１記載のゴルフパターヘッド。
【請求項３】
前記Ｖ字状に折曲した頂部に慣性モーメント集中部を形成した慣性力増大ウエイト・フレームは、使用時に上から見てＶ字状の隙間からグリーンが直視できることを特徴とする請求項１又は２記載のゴルフパターヘッド。
【考案の詳細な説明】
【技術分野】
【０００１】
この考案は、ゴルフパターヘッドの改良に関するもので、バランス調整機能や高度なストロークの練習技術習得機能を併有し、単に練習技術習得の使用のみならず、正規なゴルフ競技にも使用でき、特にストロークに於けるヘッド軌道の安定化を図れ、さらに、インパクト時におけるフェース面の向きや打点位置を安定化できると共に視覚的位置合わせ補助と大きな慣性モーメントを達成できるゴルフパターヘッドの改良構造に関する。
【背景技術】
【０００２】
従来、一般的に使用されているゴルフパターヘッドは、グリップを有するシャフトと、ソール面及びフェース面を有するヘッド本体とを前記シャフトの下端部に、直接或いはピン型パターで代表されるような特別な屈曲を有するホーゼルを介して連結固定した構造となっている。
【０００３】
多くのゴルファーには周知のように、ゴルフプレーに於けるパッティングは全てのタイプのプレーヤーを悩ましてきたし、また、パターとパッティング技術の改良や、パッティング技術の習得、技術の上達に対しての探求は止まるところがない。
【０００４】
これらに関して、初めて工学ないし、科学原理がパターの設計に取り入れられた特許としては、米国特許第 3,042,405号（特許文献１）が開示されている。この技術内容とするところは、いわゆる「ヒール・トウ・バランス設計」の原理に基づいて設計されたパターであって、その原理がパターヘッドのヒールとトウに集中させた構造のもので、これによって慣性モーメントが増大し、その結果として、ボールが、パターのスィートスポットから離れたパターフェースのスポットで打たれたときに、パターヘッドの捩れに対抗できる効果があるとされる。
【０００５】
また、前記の「ヒール・トウ・バランス設計」以外の特許として、代表的なものに、米国特許第 3,954,265号（特許文献２）があり、そこで開示された技術内容は、いわゆる「フェース・バランス設計」と一般的に称されており、このパターは、等しいモーメントアームを有するパターである。即ちヒール及びトウに集中した質量が回転軸から等しい距離に設定されている。これは、パターのシャフトをパターのトウとヒールの中央に連結してシャフトを重心付近に配置する構造になっている。      
【０００６】
このフェース・バランス設計の概念は、米国特許第 3,954,265号（特許文献２）に開示される別の方法によっても実現されてきた。この技術内容は、シャフトはヒールに近いところでパターヘッドに取付けられており、シャフトは特別な形状に曲げられている。シャフトの特別な曲り部分は、その下端に位置し、このシャフトの曲りは、シャフト直線部によって形成されるシャフトの長手軸がパターヘッドの重心を通るように位置付けされている。
【０００７】
また、比較的新しい設計思想でフェース・バランス設計がスクェアなフェースの向きを使用者の技術に委ねるのに対し、それをパターに自動的にさせようとする「バーチカル・バランス設計」（ＶＥＲＴＩＣＡＬ．ＢＡＲＡＮＣＥ）の概念がある。この理論はシャフトの中心線の延長上よりヒール側にヘッドの重心を配置する手法で、ストローク中、常にフェース面をターゲットラインに対しスクェアに保てることを狙った設計思想で、パターを水平にした時、トウが真上を向き、フェースが真左（カップ方向）を向くため、ヘッドヘが自動的にスクェアを保とうとする為、バックスウイングが安定しやすい。従って、ストロークも安定しやすい傾向になり、ストローク軌道に注意しておけば、あとは距離感だけに集中できるという利点がある。しかし、また新しい設計思想なので、その効果、適性も完全に明らかになっていないといわれている。
【０００８】
さらに、前記したパターの性能に関してのバランス以外に、その性能を決定する上で大きな意味を有するのが、重心の高さや重心距離がある。例えば、重心の高低や重心距離、重心深度の長短（深さや浅さ）である。重心位置の低いパターでボールの赤道（中心）をヒットしようとしたら、かなりソールを浮かせる必要があり、相当に高度な技術である。反対に、ソールを１センチ程度浮かせたときにパターの重心がボール赤道近くになるタイプ、即ち、重心が高位置のほうがジャストミートしやすく、転がりもよくなる。また、重心距離（シャフトの中心線の延長上からフェース面上の重心までの距離）については、シャフトの中心線から重心と交わるものは重心距離がゼロで、このパターの重心角を90度になるように設定するとフェース・バランスのパターとなるといわれている。また重心深度（フェース上の重心からヘッド内部の重心点までの深さ）が深い方が、ヘッドの右や左を向こうとする力が抑えられる。
【０００９】
この他に現在多くのゴルファーに使用されているパターとして、上述したバランスのとれた従来型の理論的には理想的ではあるが、多くのゴルファーはセンターシャフトパターと称される商品名「アクシュネット」で代表されるシャフトがパターヘッドのセンターに取り付けられているもの、さらに、上から見た投影面積の大きな形状を有し、別名Ｄ型パターとも称されているマレット型のパターがあるし、また、高度の技術がある程度使用者が多いとされるＬ字型パター等がある。
【００１０】
更に、特開平１０−１２７８３６号（文献３）、特開平９―６６７号（文献４）のように、ゴルフパターのフェースの背面に帯板状のソールを付設し、フェースの慣性モーメントを集中増大させ慣性モーメント集束・重量バランス調整を図ったものもある。
【００１１】
そこで、この考案は上記の各種性能を有するパターのプレー実践の結果、一般的な技術のゴルフアーにとって、パターの性能は慣性モーメントが重要視すべき課題であると共に最大重要課題は重心深度であることを再認識するに至った。そして、この考案者は、最近のゴルフ専門的情報を探知検証の結果、日本ツアーに回帰現象が予想され、慣性モーメントの大きい「ピン型」が注目されていることを知った。現在ツアーは「オデッセイ２ボール」を代表とする「ネオマレット型」の全盛期で、「ピン型」は、その使用度が少なくなっている。
【００１２】
この考案の検証によると、現在、日本のプロゴルファーの使用頻度が高いパターとされているのは、前記「オデッセイの２ボール」で代表される「ネオマレット型」である。このパターの登場以前は「ピン型」であったが、最近の１０年足らずで急に形勢は逆転し、今やピン型使用プロは少数派といえる。しかし、アメリカツアーでは未だにピン型の使用率は高く、その理由として考えられるのは、ネオマレット型がツアーで浸透してきたのは、重心深度が深く、慣性モーメントが大きくワイドスポットになる。その結果オフセンターヒットをしたときでもミスが少ないと言う利点があるからである。但し、重心深度が深いと言うメリットは、欠点も伴うもので、重心が深いということは当然フェース面からの距離が遠くなるわけだから、タッチの感覚が手に伝わり難い，即ち鈍感覚になるということになる。
【００１３】
そこで、より微妙なタッチが要求される高速グリーンのアメリカツアーでは、ネオマレット型は日本ほど人気がない、逆にピン型はフェース面と重心との距離が短いため、インパクトが伝わってくる。そのため微妙なタッチが出しやすい。その理由がアメリカツアーの選手がピン型に固執する所以なのだ。日本の場合はアメリカツアー程に高速グリーンに仕上げてこないとはいうものの、本格シーズンになると当然グリーンは高速仕上げになってくる。そこで、プロや上級プレーヤーは、敏感なタッチが出せるピン型に回帰することになる。
【特許文献１】米国特許第３，０４２，４０５号公報
【特許文献２】米国特許第３，９５４，２６５号公報
【特許文献３】特開平１０−１２７８３６号公報
【特許文献４】特開平９−６６７号公報
【考案の開示】
【考案が解決しようとする課題】
【００１４】
この考案は、前記したような工学ないし科学原理に基づき、その課題として、プロゴルファーの高度なパッティングの感じをアベレージゴルファーが容易に習得できるゴルフパターヘッド構造に係わり、ヘッドのバランスや重心深度を任意に調整できて慣性モーメントを最大に増幅できると共に重心位置や高低も任意に設定可能にしたパターヘッドであり、更に詳しくは、インパクト時にボールを掴んでノーマルスピン、オーバースピン、ハイボールスピンの回転を与える作用によりボールのスムーズな転がりによるバックスピンの発生を抑えると共にインパクト直後より選択したボール回転で方向性も距離コントロール等を独自による最適バランサーの取付け位置交換配分によりストローク安定性に優れたパターヘッドを提供するものである。
【００１５】
ゴルフプレーに於いて、パッティングの基本技術として必要とされているのは、
（１）パターは使用者の好みや、時代の流行にも左右され、また使用者の体躯や手足の長短、使用グリーンのボールに対する転がりの速さや遅さ、使い手の構えやストロークに個性が反映する点が多い。これらの点を考慮して使用者は前記したヒール・トウ・バランス設計、フェース・バランス設計、バーチカル・バランス設計で代表されるパターやパターの重心の高低、重心位置、重心距離、重心深度、慣性モーメント等を考慮に入れたパターを選択して使用すること。
（２）ヘッドフェース面の向きをターゲットに対して直角に定めたゲットラインに沿ってスクェアなアドレスができること。
（３）パッティングのストローク時にターゲットとボールヒット時を結ぶゲットライン上に正確にストレートなストローク運動ができること。
（４）ボールをヒットするとき可能な限りヘッドをグリーン面（室内練習器では人工芝面）と平行に動かす必要があり、レベルブローのストロークをしなければならない。この技術の習得には、手首を極力使用せずストロークの基本どおりに肩を主体とするストロークが要求されること。
（５）ゴルファーの中でも最も使用率が高いといわれているヒール・トウ・バランス設計であるピン型のパッティングではネックがグーズでヘッドが遅れてくる構造であるため、これを上手に使いこなすにはフォロースルーでボールを運ぶイメージでストロークする技術の習得が要求される。そして、これらのパッティング技術を習得するには、それぞれバランス設計の異なったパターを用いて使用者の感覚や勘によって行わなければならず、その正しい基本技術を覚え習得することは容易ではないこと等である。
【００１６】
この考案は、前記した（１）ないし（５）のゴルフパッティングに必要な技術のうち、パッティングのバックストローク時にターゲットとボールヒット時を結ぶゲットライン上に正確にストレートなストローク運動が容易であると共に特にヒッティング時にボールのバックスピンの発生を抑え、ボールに対するパターヘッドの重心位置調整選択により任意のスピン回転を容易に習得可能にしたパターヘッドの提供を目的としたものである。
【課題を解決するための手段】
【００１７】
そこで、前述の如き課題を達成するため、請求項１記載のゴルフパターヘッドにあっては、ゴルフパターヘッドのヒール端部及びトウ端部に繋がる側壁部に部材嵌着孔を配置したパターヘッド本体と、Ｖ字状に折曲した頂部に慣性モーメント集中部を形成すると共に先端に前記部材穿着孔に挿入固定する固着部を有する拡開角度に延生した慣性力増大ウエイト・フレームを設け、当該、慣性力増大ウエイト・フレームの固着部を前記部在嵌着孔に挿入固着するように構成する手段を採用した。
【００１８】
また、前記請求項２記載のゴルフパターヘッドにあっては、前記ゴルフパターヘッドのヒール端部及びトウ端部に繋がる側壁部に配置する部材穿着孔の位置は、ヒール・トウ・バランス設計原理に基づき設定され、慣性モーメントが増大する部位やパターヘッドのボールスピン、転がりを考慮した最適重量配分の重心位置等を選択できる部位に配設する手段を採用した。
【００１９】
さらに、前記請求項３記載のゴルフパターヘッドにあっては、前記Ｖ字状に折曲した頂部に慣性モーメント集中部を形成した慣性力増大ウエイト・フレームは、使用時に上から見てＶ字状の隙間からグリーンが直視できるように構成する手段を採用した。
【考案の効果】
【００２０】
従って、この考案の請求項１、２記載のゴルフパターヘッドによれば、ヘッドのヒール端部及びトウ端部に繋がる側壁部に部材嵌着孔を配置したパターヘッド本体にＶ字状に折曲した頂部に慣性モーメント集中部を形成し、その先端に前記部材嵌着に挿入固定する固着部を有する拡開延生した慣性力増大ウエイト・フレームを設け、当該、慣性力増大ウエイト・フレームの固着部を前記部材嵌着孔に挿入固着することにより、パターヘッドの重心位置や重心深度を任意に設定、調整し、加えて慣性力増大ウエイト・フレームの慣性モーメント集中部の拡開角度やヘッド本体の側壁部までの長さを調整設定することにより、慣性モーメントの増幅を可能にする。
【００２１】
さらに、パターヘッドのヒール端部及びトウ端部の側壁部に穿設した部材嵌着孔の配分位置により、パターヘッドのインパクト時にボールを掴んでノーマルスピン、オーバースピン、ハイボールスピンの回転を選択でき、併せてこの回転作用によるボールのスムーズな転がりによるバックスピンの発生を抑えられると共に慣性力増大ウエイト・フレームとの相乗効果によりインパクト直後より選択した任意のボール回転で方向性も距離コントロール等が容易になる。その為高度なパッティング感覚をアベレージゴルフアーも体得できる。
【００２２】
また、前記パターヘッドのヒール端部及びトウ端部の側壁部に穿設した部材嵌着孔の配分位置により、パターヘッド本体の重心深度・前後・上下・左右（ヒール・トウ）のボール回転を好みに応じて選択でき、さらに、任意な重心位置も選択可能のためインパクト時のボールの回転を得られる。又この時点において前記慣性力増大ウエイト・フレームとの相乗効果により慣性特性を増大でき、パターフェースの打面からスクエアリリースされたボールがパターのスーとスポットから外れてインパクトされた時に、パターヘッドの捩れに対抗できる効果もある。
【００２３】
さらに、請求項３記載のパターヘッドによる前記Ｖ字状に折曲した頂部に慣性モーメント集中部を形成した慣性力増大ウエイト・フレームは、パターストローク時に上から見てＶ字状の隙間からグリーンが直視できる為、インパクト時点は勿論バックストローク時のストローク方向（一定の目印を目標に目指す）も直接目視でき、ストローク方向が確認できオールスクエアなパターストローク技術が習得できる。即ち、オールスクエアな構えの利点は、使用者の体の中に直線や直角や平行部分が多くできることで、スタンス（両つま先のライン）膝、腰、肩、目のラインは打出し方向（ストローク方向）に平行（スクェア）になり、フェース向きと両足はストロークのターゲットに対して直角に合わせる必要がある。この点について、この考案は前記したようにストローク時にＶ字状の隙間からストローク方向が直視でき、加えて前記慣性力ウエイト・フレームの慣性モーメント集中部を設けた相乗効果により、すべての要素を容易に取得できる。
【００２４】
さらに、ストロークする時レベルゾーンが長く、両腕を伸ばして三角形を崩さないストローク技術を取得できることが検証できる。即ち、ストローク時に、このストローク方向の確認が前記慣性力ウエイト・フレームの慣性モーメント集中部の先端部がグリーン面に接触しないように平行にストロークすることにより鋭角的な円軌道のストロークを防止できるため、肩からヘッドまでの円弧を長くし、ちいさな振幅で伸びのある球速を生じるストローク技術を取得できる。また、手首をロックした正確なストロークも得られる。
【００２５】
ところで、このゴルフパターヘッドは、パターヘッド本体及び慣性力増大ウエイト・フレーム（シャフトの中心軸）の慣性モーメントの積分計算の結果算出された理論設計により構成されているため、パターヒッテイング時にボールに与える力は最大の慣性モーメントを得ることができると共に構造的に慣性モーメントの集束、プレー時の打球スイング軌道の正確な目視確認、運動エネルギーのボールへの伝達等の確実な効果が期待できる。
【考案を実施するための最良の形態】
【００２６】
この考案の最良の形態は、アベレージゴルフアーでも上級技術ゴルフアー、プロゴルフアーと同様なレベル或いは同様なパッティング感覚技術を容易に習得できる構成であって、ゴルフパターヘッドのヒール端部（１）及びトウ端部（２）に繋がる側壁部（３）に部材嵌着孔（４）を配置したパターヘッド本体（Ａ）と、Ｖ字状に折曲した頂部に慣性モーメント集中部（５）を形成すると共に先端に前記部材嵌着孔（４）に挿入固定する固着部（６）を有する拡開角度に延生した慣性力増大ウエイト・フレーム（Ｂ）を設け、当該、慣性力増大ウエイト・フレーム（Ｂ）の固着部（５）を前記部在嵌着孔（４）に挿入固着することを特徴とする構成で、初望の目的を達成できる。
【実施例】
【００２７】
以下、この考案の一実施例について図面を参照して説明する。
図においてＡ及びＢはこの考案に係るゴルフパターヘッドの構成全体を示し、その各構成部材の材質は、ゴルフパター用ヘッドとして通常実施されている材質を使用する。パターヘッド本体Ａ及びＢの材質としては、例えば、真鍮、軟鉄等の鉄系金属、ステンレス、アルミ合金、チタン、チタン合金、その他の重金属、軽金属を主体とする複合基材から選択構成する。
【００２８】
前記パターヘッド本体Ａに於けるヘッドのヒール端部１及びトウ端部２に繋がる側壁部３には、ヘッドの長手方向に直交して中芯部方向（ヘッドのフェース方向）に向けて部材嵌着孔４が穿設してある。この穿設配分位置はパターヘッドのインパクト時にボールを掴んでノーマルスピン・オーバースピン・ハイボールスピンの回転を選択できると共に重心位置も当該部材嵌着孔４の高低位置の選択も工学的積分計算により算出して位置決めできる。
【００２９】
前記慣性力増大ウエイト・フレームＢは、前記適宜金属素材（或いは金属素材を含む複合材でも良い）で一体に形成され、Ｖ字状に折曲した頂部に慣性モーメント集中部５を形成すると共に先端に前記部材嵌着孔４に挿入固定する固着部６を有する拡開角度に延生した構成してある。当該、慣性力増大ウエイト・フレームＢの固着部５を前記部在嵌着孔４に挿入固定することにより、上から見て略Ｖ字状のフレーム形状（実施図では丸棒状）であるため、プレー時には打球スイング軌道、パターヘッド軌道(打球時の目印に対して)の正確な目視確認が可能に構成されている。
【００３０】
前記慣性力増大ウエイト・フレームＢの慣性モーメント集中部５は、その先端の固着部６に向けて工学的積分計算の拡開角度に形成されパターヘッドの重心距離（シャフトの中心線の延長上からフェース面上の重心までの距離）や重心深度（フェース上の重心からヘッド内部の重心点までの深さ）を任意に設定できる構成されている。加えて、先端の固着部６の設定位置により、トウ、ヒール方向にヒット点をはずした場合のボールの転がり距離の減少を少なくし、サイドスピンによるボールの曲がりを抑える慣性モーメントの増幅が可能になるよう構成されている。
【００３１】
尚、この考案に係るゴルフパターヘッドの具体的構成、形状、寸法、材質、パター本体と慣性力増大ウエイト・フレームとの装着や固定手段等は、図示の実施例に限定されること無く、適宜自由に設定、変更できるものである。
【図面の簡単な説明】
【００３２】
【図１】この考案のゴルフパターヘッドの斜視図である。
【図２】この考案のゴルフパターヘッドの一部を切り欠いた上面図である。
【図３】この考案のゴルフパターヘッドの上面図である。
【符号の説明】
【００３３】
Ａ  パターヘッド本体
Ｂ  慣性力増大ウエイト・フレーム
１  ゴルフパターヘッドのヒール端部
２  ゴルフパターヘッドのトウ端部
３  ヒール端部及びトウ端部に繋がる側壁部
４  側壁部に穿設した部材嵌着孔
５  慣性モーメント集中部
６  固着部
【図１】
0003129437.tif 000003
【図２】
0003129437.tif 000004
【図３】
0003129437.tif 000005